(57)【要約】      （修正有）【課題】踏板のツメと仮設足場の横棒が連結する両端部にも隙間をなくし、仮設足場の安全性を従来から一層高め、さらに容易に仮設足場（支柱）に取り付けることができ、加えて保管時のまとまりがよい、改良幅木を提供する。【解決手段】仮設足場の支柱１０に取り付けられる縦部２と、縦部２に連設し、下端部が前記仮設足場の踏板１３の本体１３ａ上に載置されるに際して踏板１３のツメ１３ｂを覆う収納部３と、からなることを特徴とする改良幅木１、さらに、同一形状で、複数枚密着重ね積み保管可能な形状としたことを特徴とする改良幅木１とした。【選択図】図５
0003215818.tif 000002
【実用新案登録請求の範囲】
【請求項１】
仮設足場の支柱に取り付けられる縦部と、
前記縦部に連設し、下端部が前記仮設足場の踏板の本体上に載置されるに際して前記踏板のツメを覆う収納部と、
からなることを特徴とする改良幅木。
【請求項２】
前記収納部が、断面視で、前記踏板側に凸の多角湾曲形状であることを特徴とする請求項１に記載の改良幅木。
【請求項３】
前記収納部が、断面視で、前記踏板側に凸の弧状であることを特徴とする請求項１に記載の改良幅木。
【請求項４】
前記収納部が、断面視で、前記踏板側に突出する直線状であることを特徴とする請求項１に記載の改良幅木。
【請求項５】
複数枚密着重ね積み保管可能な形状としたことを特徴とする請求項１〜請求項４の何れか１項に記載の改良幅木。
【請求項６】
前記縦部に凸部を備え、コの字型フックが前記凸部に当接して前記支柱に前記縦部が押圧取り付けされることを特徴とする請求項１〜請求項５の何れか１項に記載の改良幅木。
【考案の詳細な説明】
【技術分野】
【０００１】
本考案は、建築現場などで使用される組立式の仮設足場の踏板の一方又は両側部に位置し、支柱に取り付けられる幅木に関し、より詳しくは、前記踏板のツメ部分の隙間もなくし、仮設足場の安全性を従来から一層高めた改良幅木に関する。
【背景技術】
【０００２】
以前の幅木は、特許文献１に示すように、踏板の両側面に配置された板状の幅木（木製幅木４、金属製幅木６）であったが、昨今は、法改正で、図１の写真に示すように、踏板１３と幅木の隙間をなくすよう、断面Ｌ字状をしたＬ字型幅木１４が用いられている。
【０００３】
踏板１３は、板状で作業者が歩く部分である本体１３ａと本体１３ａの四隅に突設したツメ１３ｂとからなり、支柱１０、筋交い１２、横棒１１などで組まれた仮設足場の横棒１１に、ツメ１３ｂを係止して、作業者の歩行部を形成する。
【０００４】
Ｌ字型幅木１４は、踏板１３の本体１３ａに載置される水平部１４ａと、水平部１４ａから起立し、踏板１３の側端部に位置する縦部１４ｂとからなり、踏板１３の両側部に幅木との隙間を形成しない。
【０００５】
しかしながら、ツメ１３ｂが上に凸であるため、踏板１３のツメ１３ｂと横棒１１が連結する支柱１０付近には隙間１５（破線楕円部）が形成される。さらに従来のＬ字型幅木１４は足場への装着が煩雑で、加えて保管時のまとまりが悪い。
【先行技術文献】
【特許文献】
【０００６】
【特許文献１】実用新案登録第３１５３０６６号公報
【考案の概要】
【考案が解決しようとする課題】
【０００７】
そこで、本考案は、踏板のツメと仮設足場の横棒が連結する両端部にも隙間をなくし、仮設足場の安全性を従来から一層高め、さらに容易に仮設足場（支柱）に取り付けることができ、加えて保管時のまとまりがよい、改良幅木を提供することを目的とする。
【課題を解決するための手段】
【０００８】
本考案は、上記課題を解決するため、
（１）
仮設足場の支柱に取り付けられる縦部と、
前記縦部に連設し、下端部が前記仮設足場の踏板の本体上に載置されるに際して前記踏板のツメを覆う収納部と、
からなることを特徴とする改良幅木。
（２）
前記収納部が、断面視で、前記踏板側に凸の多角湾曲形状であることを特徴とする（１）に記載の改良幅木。
（３）
前記収納部が、断面視で、前記踏板側に凸の弧状であることを特徴とする（１）に記載の改良幅木。
（４）
前記収納部が、断面視で、前記踏板側に突出する直線状であることを特徴とする（１）に記載の改良幅木。
（５）
複数枚密着重ね積み保管可能な形状としたことを特徴とする請求項（１）〜（４）の何れか１つに記載の改良幅木。
（６）
前記縦部に凸部を備え、コの字型フックが前記凸部に当接して前記支柱に前記縦部が押圧取り付けされることを特徴とする（１）〜（５）の何れか１つに記載の改良幅木。
とした。
【考案の効果】
【０００９】
本考案は、上記構成であるので、踏板のツメと仮設足場の横棒が連結する両端部にも隙間がなく、仮設足場の安全性を従来から一層高まり、さらに容易に仮設足場（支柱）に取り付けることができ、加えて保管時のまとまりがよい、改良幅木を提供することができる。
【図面の簡単な説明】
【００１０】
【図１】従来のＬ字型幅木の説明図である。
【図２】本考案である改良幅木の第一の実施形態の斜視図である。
【図３】図１のＡ−Ａ‘矢視断面図である。
【図４】本考案である改良幅木の第一の実施形態の使用状態の説明左側面図である。
【図５】本考案である改良幅木の第一の実施形態の使用状態の写真（正面斜視）である。
【図６】本考案である改良幅木の第一の実施形態の使用状態の写真（背面斜視）である。
【図７】本考案である改良幅木の第二の実施形態の左側面図である。
【図８】本考案である改良幅木の第三の実施形態の左側面図である。
【考案を実施するための形態】
【００１１】
以下、添付図面に基づき、本考案の実施の形態について詳細に説明する。ただし、本考案はそれら実施形態の形状、大きさに限定されるものではない。
【実施例１】
【００１２】
本考案の第一の実施形態である改良幅木１は、図２−６に示すように、仮設足場の支柱１０に取り付けられる縦部２と、縦部２に連設し、下端部が仮設足場の踏板１３の本体１３ａ上に載置されるに際して踏板１３のツメ１３ｂを覆う収納部３とからなる。
【００１３】
縦部２は、後述する幅木フック４で、改良幅木１を簡易に支柱１０に取り付けできるよう、凸形状をしており、図３に示すように、断面台形状の凸部２ｂと、その上下に連設する第一垂直部２ａ及び第二垂直部２ｃとからなる。台形の凸部２ｂが弾性を備え、幅木フック４での改良幅木１の取り付け、固定保持をサポートする。
【００１４】
すなわち、支柱１０と改良幅木１の係止に、幅木フック４を用いると、幅木フック４が凸部２ｂを押し込み、凸部２ｂの弾性反力で幅木フック４の抜けが防止され、安定して改良幅木１を係止することができる。改良幅木を幅木フック４で支柱１０に係止しない場合には、縦部に凸部２ｂを備えず、縦部はストレートで構わない。
【００１５】
収納部３は、図２，３に示すように、第二垂直部２ｃに連設する第一張出部３ａと、第一張出部３ａに角度を付けて連設する第二張出部３ｂと、第二張出部３ｂに角度を付けて連設し垂下する垂下部３ｃとからなり、踏板１３側に凸の多角湾曲形状で、垂下部３ｃの下端部が踏板１３に載り、ツメ１３ｂを収納するスペース３ｄを形成する。
【００１６】
収納部３を備えることで、踏板１３と従来のＬ字型幅木１４のときは形成された隙間１５は残らない。
【００１７】
収納部３が、断面視で、踏板１３側に凸の多角湾曲形状であれば、衝突、踏み込みに対する強度が高く、変形しにくい。また、改良幅木１は一枚の板を折曲げた形状であるので、同一形状で、部分的な突出などがないため、保管時に複数枚密着重ね積み可能で、まとまりがよい。他の実施例でも同様の理由で、複数枚密着重ね積み可能である。なお、収納部３は、ツメ１３ｂを収納できれば、多角湾曲形状、その他実施例に限定されない。
【００１８】
改良幅木１が、図３に示す形状、寸法であれば、特許文献１の幅木フック４で、一般的な径の支柱１０に改良幅木１を容易に係止することができる。
【００１９】
幅木フック４は、特許文献１に詳述されているが、改良幅木１の縦部２の凸部２ｂに当接する左右垂下部４ａ、４ｂと、左右垂下部４ａ、４ｂに略直角に連設する左右水平部４ｃ、４ｄと、左右水平部４ｃ、４ｄから下方に屈曲して連結するＵ字部４ｅとからなる、コの字型フックである。
【００２０】
先ず、改良幅木１を仮設足場の支柱１０に立て掛け、Ｕ字部４ｅ内に支柱１０を位置させ、次に左右水平部４ｃ、４ｄの下に改良幅木１を位置させ、左右垂下部４ａ、４ｂで改良幅木１の凸部２ｂに当接して改良幅木１を支柱１０に押し当て、係止する。
【００２１】
これにより、仮設足場の踏板１３の側部で、ツメ１３ｂを収納部３内に位置させ、覆い、改良幅木１を仮設足場の支柱１０に固定することができる。係止後の状態を、図４−６に示した。
【００２２】
このような、改良幅木１であれば、横方向に端部を一部重ねて連設することができる。踏板１３の連結部分においても、隙間１５を形成しない。他の実施例でも同様である。
【実施例２】
【００２３】
本考案である改良幅木５は、実施例１の断面視で多角湾曲形状の収納部３を、断面視で、踏板１３側に凸の弧材５ｂである収納部５ａに換え、スペース５ｃにツメ１３ｂを収納する点が異なる。その他は、実施例１と同じである。したがって、実施例１と同じ符号、形状についてはその説明を省略する。
【００２４】
収納部５ａが、断面視で、踏板１３側に凸の弧状であれば、衝突、踏み込みに対する強度が高く、変形しにくい。
【実施例３】
【００２５】
本考案である改良幅木６は、実施例１の断面視で多角湾曲形状の収納部３を、断面視で、上端が第二垂直部２ｃの下端に連接し、下端部が踏板１３に位置する直線状の平板材６ｂである収納部６ａに換え、スペース６ｃにツメ１３ｂを収納する点が異なる。その他は、実施例１と同じである。したがって、実施例１と同じ符号、形状についてはその説明を省略する。
【００２６】
収納部６ａが、断面視で、ツメ１３ｂを収納し、第二垂直部２ｃの下端から踏板１３まで直線状であれば、一枚の板からの加工が容易で、歩行スペースを最大にできる。
【００２７】
以上のように、本考案の何れの改良幅木でも、踏板１３のツメ１３ｂを内部に収納し、覆う収納部を備えるため、ツメ１３ｂ周辺の隙間１５を塞ぎ、従来のＬ字型幅木にくらべ安全性が向上する。そして、一枚の板を折曲げて加工、成形できるので、製造が容易で低廉に提供できる。加えて、着脱容易で、さらに積み重ね保管が可能になるので、保管に際しての省スペース化が図れる。
【符号の説明】
【００２８】
１      改良幅木
２      縦部
２ａ    第一垂直部
２ｂ    凸部
２ｃ    第二垂直部
３      収納部
３ａ    第一張出部
３ｂ    第二張出部
３ｃ    垂下部
３ｄ    スペース
４      幅木フック
４ａ    左垂下部
４ｂ    右垂下部
４ｃ    左水平部
４ｄ    右水平部
４ｅ    Ｕ字部
５      改良幅木
５ａ    収納部
５ｂ    弧材
５ｃ    スペース
６      改良幅木
６ａ    収納部
６ｂ    平板材
６ｃ    スペース
１０    支柱
１１    横棒
１２    筋交い
１３    踏板
１３ａ  本体
１３ｂ  ツメ
１４    Ｌ字型幅木
１４ａ  水平部
１４ｂ  縦部
１５    隙間
【図１】
0003215818.tif 000003
【図２】
0003215818.tif 000004
【図３】
0003215818.tif 000005
【図４】
0003215818.tif 000006
【図５】
0003215818.tif 000007
【図６】
0003215818.tif 000008
【図７】
0003215818.tif 000009
【図８】
0003215818.tif 000010